(57)【要約】【課題】車両が物体に衝突したことをより早い段階に且つ高精度に検出して、乗員保護デバイスを起動することができる車両用乗員保護装置を提供する。【解決手段】サイドドア１０の内部空間１３に、当該内部空間１３内の圧力を検出する圧力センサ２２と、当該内部空間１３内の温度を検出する温度センサ２３とを配置させる。ここで、サイドドア１０に物体が衝突した場合には、断熱変化により、当該内部空間１３内の圧力の変化ΔＰ１と温度の変化ΔＴはほぼ同期する。そして、これら圧力の変化ΔＰ１及び温度の変化ΔＴを重畳的に衝突の判定に用いて、衝突したと判定された場合に、乗員保護デバイス４０を起動させる。【選択図】図３
2007137333.tif 000002
【特許請求の範囲】
【請求項１】
車両に物体が衝突した場合に乗員を保護する車両用乗員保護装置であって、
所定の内部空間を形成し、前記物体の衝突により前記内部空間を変形させる車体部材と、
前記内部空間に配置され、該内部空間内の圧力を検出する圧力検出部と、
前記内部空間に配置され、該内部空間内の温度を検出する温度検出部と、
前記圧力検出部により検出された前記圧力の変化及び前記温度検出部により検出された前記温度の変化に基づき前記車体部材に前記物体が衝突したか否かを判定する判定手段と、
前記判定手段により前記車体部材に前記物体が衝突したと判定された場合に起動する乗員保護デバイスと、
を備えることを特徴とする車両用乗員保護装置。
【請求項２】
前記温度検出部により検出された前記温度に応じて、前記圧力検出部により検出された前記圧力を補正して補正圧力を算出する圧力補正手段をさらに備え、
前記判定手段は、前記補正圧力の変化及び前記温度の変化に基づき前記車体部材に前記物体が衝突したか否かを判定する請求項１記載の車両用乗員保護装置。
【請求項３】
前記車体部材は、前記内部空間の形成面に断熱材を備える請求項１又は２に記載の車両用乗員保護装置。
【請求項４】
前記圧力検出部及び前記温度検出部は、前記車体部材の前記内部空間内のうち相互に近接した位置に配置される請求項１〜３の何れか一項に記載の車両乗員保護装置。
【請求項５】
前記圧力検出部及び前記温度検出部は、前記車体部材の前記内部空間内に配置された同一のケース内に配置される請求項４記載の車両用乗員保護装置。
【請求項６】
前記車体部材は、車両ドアである請求項１〜５の何れか一項に記載の車両用乗員保護装置。
【発明の詳細な説明】
【技術分野】
【０００１】
本発明は、車両ドアなどの内部空間の圧力に基づき車両が物体に衝突したか否かを判定し、車両が物体に衝突したと判定された場合に乗員保護デバイスを起動させる車両用乗員保護装置に関するものである。
【背景技術】
【０００２】
例えば、特許文献１には、車両の衝突を検知する手段として、圧力センサを用いる方法が記載されている。具体的には、車両ドア内に配置された密閉のエアタンクと、エアタンク内の圧力を検知する圧力センサとを備え、圧力センサにより検知されるエアタンクの圧力が所定閾値以上となったときに、車両が物体に衝突したと判定して、エアバッグ等の乗員保護デバイスを起動することが記載されている。
【０００３】
また、特許文献２には、衝突により変化する所定空間の圧力に加えて、衝突により車体に生じる加速度を検出し、当該圧力及び加速度を用いて重畳的に車両が物体に衝突したか否かを判定し、エアバッグ等の乗員保護デバイスを起動させることが記載されている。
【０００４】
また、特許文献３には、衝突により車体に生じる加速度と、衝突により変化する所定空間の温度を検出して、当該加速度及び温度を用いて重畳的に車両が物体に衝突したか否かを判定し、エアバッグ等の乗員保護デバイスを起動させることが記載されている。
【０００５】
特許文献２及び特許文献３に記載されているように、衝突の判定を重畳的にすることで、衝突精度を向上させることができる。
【特許文献１】特開平２−２４９７４０号公報
【特許文献２】特許第２６５４４２８号公報
【特許文献３】特表２００４−５１３８２４号公報
【発明の開示】
【発明が解決しようとする課題】
【０００６】
しかし、特許文献２に記載の判定方法に用いる圧力と加速度とは、それぞれ物体が車両に衝突した瞬間から衝突の検出までの時間にずれを有する。このことについて、例えば、車両ドアに物体が衝突する場合を例に挙げて説明する。この場合、圧力の検出対象は、車両ドアの内部空間の圧力となる。また、加速度は、車体そのものの加速度である。ここで、車両ドアは、一般的に剛性がそれほど高いものではないため、非常に変形しやすい部材である。つまり、車両ドアに物体が衝突した場合には、まず車両ドアが変形し、その後に車体そのものが移動する。従って、車両ドアの内部空間の圧力が大きくなった後、加速度が大きくなる。すなわち、最初に圧力により衝突が検知され、その後に加速度により衝突が検知されることになる。従って、時間的に遅い方の加速度により衝突が検知されるまでは、乗員保護デバイスが起動しない。
【０００７】
また、特許文献３に記載の判定方法に用いる温度と加速度についても、同様に、物体が車両に最初に衝突した瞬間から衝突の検出までの時間にずれを有する。この場合も、時間的に遅い方の加速度により衝突が検出されるまでは、乗員保護デバイスが起動しない。
【０００８】
本発明は、このような事情に鑑みてなされたものであり、車両が物体に衝突したことをより早い段階に且つ高精度に検出して、乗員保護デバイスを起動することができる車両用乗員保護装置を提供することを目的とする。
【課題を解決するための手段】
【０００９】
本発明の車両用乗員保護装置は、車両に物体が衝突した場合に乗員を保護する車両用乗員保護装置であって、所定の内部空間を形成し、物体の衝突により内部空間を変形させる車体部材と、内部空間に配置され、該内部空間内の圧力を検出する圧力検出部と、内部空間に配置され、該内部空間内の温度を検出する温度検出部と、圧力検出部により検出された圧力の変化及び温度検出部により検出された温度の変化に基づき車体部材に物体が衝突したか否かを判定する判定手段と、判定手段により車体部材に物体が衝突したと判定された場合に起動する乗員保護デバイスとを備えることを特徴とする。
【００１０】
ここで、車体部材は、例えば、車両ドアである。ここで、車両ドアは、車室外側のアウタパネルと、車室内側のインナパネルとを備えている。そして、アウタパネルとインナパネルとの間には、空間が形成されている。この空間が、上述した内部空間に相当する。そして、車両ドア、具体的には、車両ドアのアウタパネルに物体が衝突した場合には、アウタパネルが車室内側に変形する。このアウタパネルの変形伴い、車両ドアの内部空間が狭くなるように変形する。つまり、物体の衝突により車両ドアの内部空間は、狭くなるように変形する。なお、車体部材は、車両ドアの他にも、上述したように、物体の衝突により変形する内部空間が形成される部材であればよい。
【００１１】
そして、圧力検出部は、車両ドアなどの車体部材の内部空間内の圧力を検出する。つまり、物体が衝突したことに伴う車体部材の内部空間内の圧力の変化を検出することができる。具体的には、車体部材に物体が衝突することに伴い、車体部材の内部空間が狭くなるように変形すると、内部空間内の圧力は上昇する。そこで、圧力検知部は、物体の衝突により上昇する圧力を検出することができる。
【００１２】
また、温度検出部は、車両ドアなどの車体部材の内部空間内の温度を検出する。ここで、車体部材の内部空間内の温度は、当該内部空間の圧力が変化することに伴って変化する。これは、断熱変化によるものである。例えば、圧力が上昇すると温度も上昇する。一方、圧力が低下すると、温度も低下する。このように、内部空間内の圧力と温度とは、相互関係を有する。つまり、内部空間内の圧力の変化と温度の変化とは、ほぼ同期している。
【００１３】
このように、温度検出部は、車体部材の内部空間内の圧力の変化に伴う温度の変化を検出することができる。従って、温度検出部は、車体部材に物体が衝突したことに伴う車体部材の内部空間内の温度の変化を検出することができる。具体的には、車体部材に物体が衝突することに伴い、車体部材の内部空間が狭くなるように変形すると、断熱変化により内部空間内の温度が上昇する。そこで、温度検出部は、物体の衝突により上昇する温度を検出することができる。
【００１４】
そして、判定手段は、車体部材の内部空間内の圧力の変化及び温度の変化に基づき、車両ドアなどの車体部材に物体が衝突したか否かを判定している。つまり、判定手段は、圧力の変化と温度の変化とを重畳的に判定に用いている。具体的には、判定手段は、圧力が所定圧力閾値を超え、且つ、温度が所定温度閾値を超えた場合に、車体部材に物体が衝突したと判定する。
【００１５】
また、乗員保護デバイスは、エアバッグ装置などである。例えば、側突の場合に起動する乗員保護デバイスは、車両ドアと乗員との間に展開するエアバッグ装置などである。
【００１６】
以上説明したように、本発明の車両用乗員保護装置は、判定手段において、車体部材の内部空間内の圧力の変化及び温度の変化を重畳的に用いて物体の衝突を判定している。このように、複数の情報を用いて物体の衝突を判定しているので、高精度に物体の衝突を検知することができる。つまり、不要な乗員保護デバイスの起動を防止することができる。
【００１７】
さらに、判定手段において、物体の衝突の判定に用いる情報は、車両ドアなどの車体部材の内部空間内の圧力の変化及び温度の変化である。この内部空間内の圧力の変化及び温度の変化は、上述したように、ほぼ同期している。つまり、車体部材に物体が衝突したことに伴い、ほぼ同時に圧力及び温度が上昇する。このように、ほぼ同期した複数の情報を用いて物体の衝突の判定を行っている。つまり、物体が車両に最初に衝突した瞬間から圧力の変化を用いて衝突と判定するまでの時間と、衝突した瞬間から温度の変化を用いて衝突と判定するまでの時間とが、ほぼ同一である。つまり、これら複数の情報を用いた場合であっても、非常に早い段階で、車体部材に物体が衝突したことを判定することができる。
【００１８】
ところで、圧力検出部は、上述したように、車体部材の内部空間内の圧力を検出する。この圧力検出部は、例えば、シリコンチップの中央部を薄く加工して形成したダイヤフラム上に、ホイートストンブリッジとなるように拡散抵抗を形成されたものなどがある。このような圧力検出部を含め、種々の圧力の検出が可能なものは、周囲の温度に応じて、出力値にバラツキが生じることがある。このような場合には、圧力検出部の出力値に対して、周囲の温度に応じた補正をすることが考えられる。
【００１９】
そこで、このような場合に、衝突の判定に用いる温度検出部により検出される温度情報を、圧力検出部の出力値に対する補正に用いるようにするとよい。具体的には、本発明の車両用乗員保護装置は、温度検出部により検出された温度に応じて、圧力検出部により検出された圧力を補正して補正圧力を算出する圧力補正手段をさらに備え、判定手段は、補正圧力の変化及び温度の変化に基づき車体部材に物体が衝突したか否かを判定するようにする。
【００２０】
つまり、温度検出部により検出される温度情報は、衝突の判定と圧力の補正とに兼用している。これにより、圧力の補正を行うために、圧力検出部の周囲の温度を検出する温度検出部を別途設ける必要がない。その結果、低コストで、圧力検出部により検出される圧力を補正することができる。
【００２１】
また、本発明の車両用乗員保護装置の判定手段は、断熱変化により変化する車体部材の内部空間内の温度を用いて衝突の判定を行っている。つまり、車体部材の内部空間内の圧力が上昇した場合に、確実に温度が上昇し、この温度を温度検出部が検出できるようにすることが望まれる。具体的には、車体部材の内部空間内の圧力の上昇に伴い、車体部材の内部空間の温度が上昇した場合に、内部空間の熱が車体部材の内部空間の外に逃げないようにするとよい。そこで、車体部材は、内部空間の形成面に断熱材を備えるようにするとよい。これにより、上昇した内部空間の温度が外部に逃げることを防止できる。従って、確実に温度検出部により、断熱変化により上昇する内部空間内の温度の変化を検出することができる。
【００２２】
ここで、内部空間の形成面とは、例えば車両ドアの場合には、アウタパネルの車室内側の面及びインナパネルの車室外側の面である。この場合には、断熱材は、アウタパネルの車室内側のみに備えるようにしてもよいし、インナパネルの車室外側のみに備えるようにしてもよいし、両側に備えるようにしてもよい。もちろん、アウタパネルの車室内側及びインナパネルの車室外側の両方に断熱材を備えるようにした場合が、最も断熱効果が高い。
【００２３】
また、圧力検出部及び温度検出部は、車体部材の内部空間内のうち相互に近接した位置に配置されるようにするとよい。ここで、上述したように、圧力検出部により検出される圧力の変化と、温度検出部により検出される温度の変化は、断熱変化によりほぼ同期する。特に、圧力検出部及び温度検出部が相互に近接した位置に配置されている場合には、極めて同期性が高くなる。従って、より早い段階で衝突と判定することができる。
【００２４】
この場合、特に、圧力検出部及び温度検出部は、車体部材の内部空間内に配置された同一のケース内に配置されるようにするとよい。このように、同一のケース内に配置することで、より同期性を高めることができる。さらに、省スペース化及び低コスト化を図ることができる。
【発明の効果】
【００２５】
本発明の車両用乗員保護装置によれば、車両が物体に衝突したことをより早い段階に且つ高精度に検出して、乗員保護デバイスを起動することができる。
【発明を実施するための最良の形態】
【００２６】
次に、実施形態を挙げ、本発明をより詳しく説明する。
【００２７】
（１）第１実施形態
第１実施形態の車両用乗員保護装置は、車両ドア１０に物体、例えば他の車両が衝突した場合に、サイドエアバッグ装置４０を起動する装置を例に挙げて説明する。
【００２８】
第１実施形態の車両用乗員保護装置の構成について図１〜図３を参照して説明する。図１は、車両ドア１０の断面図である。図２は、図１のＡ部分の拡大図である。図３は、第1実施形態の車両用乗員保護装置を示すブロック図である。
【００２９】
第１実施形態の車両用乗員保護装置の概要は、以下の通りである。圧力センサ２２により車両側面の車両ドア１０（以下、「サイドドア」という）の内部空間１３内の補正圧力変化ΔＰ１を算出する。さらに、温度センサ２３により当該内部空間１３内の温度変化ΔＴを検出する。そして、補正圧力変化ΔＰ１及び温度変化ΔＴが所定閾値Ｐｔｈ、Ｔｔｈを超えた場合に、サイドドア１０に物体が衝突したと判定し、この場合にサイドエアバッグ装置４０を起動する。
【００３０】
この第１実施形態の車両用乗員保護装置は、詳細には、衝突対象である車両ドア１０と、センサモジュール２０と、エアバッグＥＣＵ３０と、サイドエアバッグ装置４０とから構成される。
【００３１】
まず、物体の衝突対象である車両ドア１０（本発明における車体部材）の構成について、図１を参照して説明する。図１に示すように、サイドドア１０は、車室内側に配置されるインナパネル１１と、車室外側に配置されるアウタパネル１２とを備えている。そして、インナパネル１１とアウタパネル１２との間には、空間を形成している。このインナパネル１１とアウタパネル１２との対向空間を、内部空間１３という。さらに、インナパネル１１の車室外側（図１の右側）の面には、断熱材が張られている。また、アウタパネル１２の車室内側（図１の左側）の面には、断熱材が張られている。つまり、内部空間１３を形成する多くの面が、断熱材により覆われている。
【００３２】
次に、センサモジュール２０について図１〜図３を参照して説明する。図１に示すように、センサモジュール２０は、内部空間１３内に配置されている。このセンサモジュール２０は、図２に示すように、ケース２１と、圧力センサ２２と、温度センサ２３と、通信ＩＣ２４とから構成される。
【００３３】
ケース２１は、中空の直方体形状からなる。このケース２１は、サイドドア１０の内部空間１３内であって、インナパネル１１の車室外側（図２の右側）に取り付けられている。そして、ケース２１は、車室外側に開口した検出口２１ａが形成されている。この検出口２１ａは、ケース２１の外部からケース２１の内部へ、物体が衝突することにより変化する内部空間１３の圧力及び温度を伝達（入力）するためのものである。
【００３４】
圧力センサ２２は、ケース２１の内部に配置されている。そして、圧力センサ２２は、サイドドア１０の内部空間１３内の圧力の変化を検出する。具体的には、圧力センサ２２は、センサチップ２２ａと、増幅回路２２ｂとから構成される。
【００３５】
センサチップ２２ａ（本発明における圧力検出部）は、シリコンチップの中央部を薄く加工して形成したダイヤフラム上に、ホイートストンブリッジとなるように拡散抵抗を形成されたものである。そして、センサチップ２２ａに圧力が付与されてダイヤフラムが変形した場合には、センサチップ２２ａの図１の左右端の電位差が変化する。そして、センサチップ２２ａは、図１の左右端の電位差の信号を出力する。つまり、この図１の左右端の電位差の信号が、圧力が付与される前に対する圧力変化ΔＰとなる。ここで、このセンサチップ２２ａにより検出する圧力変化ΔＰは、センサチップ２２ａの周囲、すなわちケース２１内の温度Ｔに応じて異なる。つまり、圧力変化ΔＰは、温度Ｔによってバラツキを有する。
【００３６】
増幅回路２２ｂ（本発明における圧力補正手段）は、センサチップ２２ａにより出力される圧力変化ΔＰに対して増幅補正処理を行い、補正圧力変化ΔＰ１を生成する。ここで、増幅補正処理は、センサチップ２２ａにより出力される圧力変化ΔＰそのものを比例的に増幅する処理に加えて、温度センサ２３から出力される温度Ｔに基づく補正処理を含む。補正処理とは、センサチップ２２ａにより出力される圧力変化ΔＰが、センサチップ２２ａの周囲の温度Ｔに応じてバラツキを有しないような圧力変化となるようにする処理である。例えば、温度Ｔに応じた圧力の補正量を予め設定しておく。そして、実際に温度センサ２３から出力される温度Ｔに応じた補正量を、センサチップ２２ａから出力される圧力変化ΔＰに加えるなどする。
【００３７】
温度センサ２３（本発明における温度検出部）は、ケース２１の内部であって、圧力センサ２２に近接した位置に配置されている。そして、温度センサ２３は、サイドドア１０の内部空間１３内の温度Ｔ及び温度の変化ΔＴを検出する。
【００３８】
通信ＩＣ２４は、ケース２１の内部に配置されている。通信ＩＣ２４は、Ａ／Ｄコンバータ２４ａと、インターフェイス２４ｂとから構成される。Ａ／Ｄコンバータ２４ａは、圧力センサ２２から出力される補正圧力変化ΔＰ１と、温度センサ２３から出力される温度変化ΔＴとを入力して、Ａ／Ｄ変換する。そして、Ａ／Ｄ変換された補正圧力変化ΔＰ１及び温度変化ΔＴは、インターフェイス２４ｂを介して、エアバッグＥＣＵ３０へ通信出力される。
【００３９】
エアバッグＥＣＵ３０は、インターフェイス３１と、判定部３２とから構成される。インターフェイス３１は、通信ＩＣ２４のインターフェイス２４ｂから出力された情報を入力する。そして、インターフェイス３１を介して入力された情報は、判定部３２にて、サイドエアバッグ装置４０の起動を行うか否かの判定処理を行う。さらに、判定部３２には、判定に用いる圧力閾値Ｐｔｈ及び温度閾値Ｔｔｈが予め記憶されている。
【００４０】
この判定部３２の判定処理について、図４のフローチャートを参照して説明する。図４は、エアバッグＥＣＵ３０の判定部３１における判定処理を示すフローチャートである。まず、入力された補正圧力変化ΔＰ１が圧力閾値Ｐｔｈより大きいか否かを判定する（ステップＳ１）。補正圧力変化ΔＰ１が圧力閾値Ｐｔｈ以下の場合には（ステップＳ１：Ｎｏ）、処理をリターンする。
【００４１】
一方、補正圧力変化ΔＰ１が圧力閾値Ｐｔｈより大きい場合には（ステップＳ１：Ｙｅｓ）、温度変化ΔＴが温度閾値Ｔｔｈより大きいか否かを判定する（ステップＳ２）。温度変化ΔＴが温度閾値Ｔｔｈ以下の場合には（ステップＳ２：Ｎｏ）、処理をリターンする。一方、温度変化ΔＴが温度閾値Ｔｔｈより大きい場合には（ステップＳ２：Ｙｅｓ）、物体がサイドドア１０に衝突したと判定し、サイドエアバッグ装置４０を起動させる（ステップＳ３）。そして、処理をリターンする。
【００４２】
なお、サイドエアバッグ装置４０（本発明における乗員保護デバイス）は、例えば、サイドドア１０と乗員の間に展開するエアバッグなどを含む。
【００４３】
次に、上述した構成からなる車両用乗員保護装置の動作について図５を参照して説明する。図５は、車両ドア１０に物体が衝突した場合における補正圧力変化ΔＰ１及び温度変化ΔＴの時間変化を示す図である。
【００４４】
まず、サイドドア１０のアウタパネル１２に物体が衝突した場合におけるサイドドア１０の作用について説明する。アウタパネル１２は、それほど剛性の高いものではない。従って、アウタパネル１２に物体が衝突した場合には、アウタパネル１２は、インナパネル１１側へ変形する。つまり、アウタパネル１２に物体が衝突した直後には、内部空間１３が狭くなるように変形する。そうすると、内部空間１３内の圧力は上昇する。また、断熱変化により、内部空間１３内の温度が上昇する。ここで、上述したように、内部空間１３を形成する多くの面が断熱材により覆われているため、非常に効率的に且つ確実に、圧力の上昇に伴って温度が上昇する。
【００４５】
そうすると、圧力センサ２２のセンサチップ２２ａは、検出口２１ａを通して伝達された内部空間１３内の圧力変化ΔＰを検出する。また、温度センサ２３は、検出口２１ａを通して伝達された内部空間１３内の温度Ｔ及び温度変化ΔＴを検出する。さらに、圧力センサ２２の増幅回路２２ｂにおいて、圧力変化ΔＰ及び温度Ｔに基づいて補正圧力変化ΔＰ１が得られる。
【００４６】
補正圧力変化ΔＰ１の時間変化は、図５（ａ）に示すような挙動を示す。また、温度変化ΔＴの時間変化は、図５（ｂ）に示すような挙動を示す。ここで、圧力センサ２２と温度センサ２３は、同一のケース２１の内部に非常に近接して配置されている。従って、圧力センサ２２のセンサチップ２２ａが検出する圧力変化ΔＰと温度センサ２３が検出する温度変化ΔＴとは、ほぼ同期している。従って、補正圧力変化ΔＰ１及び温度変化ΔＴは、図５（ａ）（ｂ）に示すように、ほぼ同期している。具体的には、両者は、ほぼ同じような挙動を示す。
【００４７】
そして、エアバッグＥＣＵ３０の判定部３２において、図５（ａ）に示すように補正圧力変化ΔＰ１が圧力閾値Ｐｔｈを超えている場合、且つ、図５（ｂ）に示すように温度変化ΔＴが温度閾値Ｔｔｈを超えている場合に、サイドエアバッグ装置４０を起動させる。
【００４８】
このように、サイドドア１０のアウタパネル１２に物体が衝突したことを圧力の変化と温度の変化とで重畳的に判定しているので、非常に高精度となる。さらに、サイドドア１０の内部空間１３内の圧力の変化及び温度の変化は、ほぼ同期している。従って、非常に早い段階で物体の衝突を判定することができる。また、増幅回路２２ｂにて増幅補正処理された補正圧力変化ΔＰ１を衝突の判定用いることで、センサチップ２２ａの温度バラツキをない状態とすることができる。
【００４９】
（２）第２実施形態
次に、第２実施形態の車両用乗員保護装置について図６を参照して説明する。図６は、第２実施形態の車両用乗員保護装置を示すブロック図である。なお、第２実施形態の車両用乗員保護装置において、第１実施形態の車両用乗員保護装置と同一構成については、同一符号を付して説明を省略する。
【００５０】
第２実施形態の車両用乗員保護装置の概要は、以下の通りである。圧力センサ５０によりサイドドア１０の内部空間１３内の圧力変化ΔＰを検出する。さらに、温度センサ２３により当該内部空間１３内の温度Ｔ及び温度変化ΔＴを検出する。そして、エアバッグＥＣＵ６０において、圧力変化ΔＰと温度Ｔに基づき、補正圧力変化ΔＰ１を算出する。さらに、補正圧力変化ΔＰ１及び温度変化ΔＴが所定閾値Ｐｔｈ、Ｔｔｈを超えた場合に、サイドドア１０に物体が衝突したと判定し、この場合にサイドエアバッグ装置４０を起動する。
【００５１】
第２実施形態の車両用乗員保護装置は、詳細には、衝突対象である車両ドア１０と、センサモジュールと、エアバッグＥＣＵ６０と、サイドエアバッグ装置４０とから構成される。
【００５２】
センサモジュールは、内部空間１３内に配置されている。このセンサモジュールは、ケース２１と、圧力センサ５０と、温度センサ２３と、通信ＩＣ２４とから構成される。圧力センサ５０は、ケース２１の内部に配置されている。そして、圧力センサ５０は、サイドドア１０の内部空間１３内の圧力の変化を検出する。具体的には、圧力センサ５０は、センサチップ５０ａと、増幅回路５０ｂとから構成される。
【００５３】
センサチップ５０ａ（本発明における圧力検出部）は、第１実施形態のセンサチップ２２ａと同一構成からなる。増幅回路５０ｂは、センサチップ５０ａにより出力される圧力変化ΔＰに対して増幅処理を行う。ここで、増幅処理は、センサチップ５０ａにより出力される圧力変化ΔＰそのものを比例的に増幅する処理である。
【００５４】
エアバッグＥＣＵ６０は、インターフェイス６１と、補正処理部６２と、判定部６３とから構成される。インターフェイス６１は、通信ＩＣ２４のインターフェイス２４ｂから出力された情報を入力する。つまり、増幅処理された圧力変化ΔＰ、温度Ｔ、及び温度変化ΔＴを入力する。そして、インターフェイス６１を介して入力された情報は、補正処理部６２にて、増幅処理された圧力変化ΔＰ及び温度Ｔに基づく補正処理が行われる。そして、補正圧力変化ΔＰ１を算出する。ここで、補正処理とは、増幅処理された圧力変化ΔＰが、センサチップ５０ａの周囲の温度Ｔに応じてバラツキを有しないような圧力変化となるようにする処理である。例えば、温度Ｔに応じた補正量を予め設定しておく。そして、実際の温度センサ２３により検出された温度Ｔに応じた補正量を、増幅処理された圧力変化ΔＰに加えるなどして、補正圧力変化ΔＰ１を算出する。
【００５５】
判定部６３は、温度センサ２３により検出された温度変化ΔＴと、補正処理部６２により補正処理されて算出された補正圧力変化ΔＰ１とに基づき、サイドエアバッグ装置４０の起動を行うか否かの判定処理を行う。この判定処理は、第１実施形態の判定部３２の判定処理と同様の処理である。さらに、判定部６３には、判定に用いる圧力閾値Ｐｔｈ及び温度閾値Ｔｔｈが予め記憶されている。
【００５６】
このように、サイドドア１０のアウタパネル１２に物体が衝突したことを圧力の変化と温度の変化とで重畳的に判定しているので、非常に高精度となる。さらに、サイドドア１０の内部空間１３内の圧力の変化及び温度の変化は、ほぼ同期している。従って、非常に早い段階で物体の衝突を判定することができる。また、補正処理部６２にて補正処理された補正圧力変化ΔＰ１を衝突の判定に用いることで、センサチップ５０ａの温度バラツキをない状態とすることができる。
【図面の簡単な説明】
【００５７】
【図１】車両ドア１０の断面図である。
【図２】図１のＡ部分の拡大図である。
【図３】第1実施形態の車両用乗員保護装置を示すブロック図である。
【図４】エアバッグＥＣＵ３０の判定部３１における判定処理を示すフローチャートである。
【図５】車両ドア１０に物体が衝突した場合における補正圧力変化ΔＰ１及び温度変化ΔＴの時間変化を示す図である。
【図６】第２実施形態の車両用乗員保護装置を示すブロック図である。
【符号の説明】
【００５８】
１０：車両ドア、  １１：インナパネル、  １２：アウタパネル、  １３：内部空間、
２０：センサモジュール、  ２１：ケース、  ２１ａ：検出口、
２２、５０：圧力センサ、  ２２ａ、５０ａ：センサチップ、
２２ｂ、５０ｂ：増幅回路、  ２３：温度センサ、  ２４：通信ＩＣ、
３０、６０：エアバッグＥＣＵ、  ３２、６３：判定部、
４０：サイドエアバッグ装置、  ６２：補正処理部
【図１】
2007137333.tif 000003
【図２】
2007137333.tif 000004
【図３】
2007137333.tif 000005
【図４】
2007137333.tif 000006
【図５】
2007137333.tif 000007
【図６】
2007137333.tif 000008